(57)【要約】【課題】送風機による騒音と振動とが衣類乾燥装置の外部に漏れることを抑制することが可能な衣類乾燥装置を提供する。【解決手段】洗濯乾燥機は、回転ドラムと、防振部材６１，６２と、ヒートポンプ装置７０と、送風機５０とを備えている。防振部材６１，６２は、回転ドラムを支持する。ヒートポンプ装置７０は、回転ドラムに供給される空気を加熱する。送風機５０は、モータ５１を有している。送風機５０は、ヒートポンプ装置７０によって加熱された空気を回転ドラムに送出する。洗濯乾燥機において、モータ５１の中心部は、洗濯乾燥機を上方から見る場合に、防振部材６１と防振部材６２とを結ぶ線Ｌａよりも前方に配置されている。【選択図】図４
2014054376.tif 000002
【特許請求の範囲】
【請求項１】
開口と底面壁とを有し、被乾燥対象物を収納する乾燥室と、
前記乾燥室を支持する複数の防振部材と、
前記乾燥室に供給される空気を加熱する加熱装置と、
駆動部を有し、前記加熱装置によって加熱された空気を前記乾燥室に送出する送風機とを備えた衣類乾燥装置であって、
前記駆動部の中心部は、前記衣類乾燥装置を上方から見る場合に、複数の前記防振部材のうちのいずれか二つの前記防振部材を結ぶ線よりも、前記底面壁から前記開口に向かう方向に沿って前記開口側に配置されている、衣類乾燥装置。
【請求項２】
前記加熱装置は、ヒートポンプを熱源として用いるヒートポンプ装置である、
請求項１に記載の衣類乾燥装置。
【請求項３】
前記衣類乾燥装置を上方から見る場合に、複数の前記防振部材においていずれか二つの前記防振部材を結ぶ線は、前記底面壁から前記開口に向かう方向に直交する方向から傾斜している、請求項１または請求項２に記載の衣類乾燥装置。
【請求項４】
前記衣類乾燥装置を上方から見る場合に、前記駆動部の軸が延びる方向は、前記底面壁から前記開口に向かう方向に直交する方向から傾斜し、且つ、複数の前記防振部材においていずれか二つの前記防振部材を結ぶ線に交差している、
請求項１から請求項３までのいずれか１項に記載の衣類乾燥装置。
【発明の詳細な説明】
【技術分野】
【０００１】
本発明は、一般的には衣類乾燥装置に関し、特定的には、ヒートポンプを熱源として用いた衣類乾燥装置に関する。
【背景技術】
【０００２】
一般的に、衣類乾燥装置は、乾燥室と、加熱装置と、ファンユニットと、ダクトとを備えている。乾燥室は、被乾燥対象物としての衣類を収容する。加熱装置は、乾燥室に送出される空気を加熱する。送風機を含むファンユニットは、加熱装置によって加熱された空気を乾燥室に送出する。ダクトは、乾燥室と加熱装置との間において空気を循環させる。
【０００３】
また、衣類乾燥装置において乾燥性能を向上させる一般的な方法として、加熱装置によって加熱された空気（言い換えると、乾燥用空気）の流量を増大させることが効果的であることが知られている。例えば、送風機の駆動部の回転数を可能な限り増加させることによって、乾燥用空気の流量を増大させることができる。しかしながら、駆動部の回転数の増加によって、騒音と振動とが大きくなるという問題がある。
【０００４】
衣類乾燥装置の一例として、特許第４７１５６９５号公報（以下、特許文献１という）に記載された乾燥装置が知られている。特許文献１に記載された乾燥装置においては、乾燥室としての収納部と、加熱装置としてのヒートポンプ装置と、ファンユニットと、給気ダクトおよび排気ダクトとを、筐体の内部に効率よく配置するために、収納部の後方下部にヒートポンプ装置が配置されている。また、ヒートポンプ装置の直下流に送風機が配置されるように、ファンユニットとヒートポンプ装置とがそれぞれ給気ダクトと排気ダクトとに接続されている。このような構成により、特許文献１に記載された乾燥装置においては、筐体内の空きスペースとなる収納部の後方下部に、ヒートポンプ装置および風路構成をコンパクトに配置することができ、ヒートポンプ装置における乾燥性能の低下を抑制することができる。
【先行技術文献】
【特許文献】
【０００５】
【特許文献１】特許第４７１５６９５号公報
【発明の概要】
【発明が解決しようとする課題】
【０００６】
しかしながら、特許文献１に記載された乾燥装置において、送風機を含むファンユニットは、当該乾燥装置の背面近く、具体的には、当該乾燥装置を上方から見て、収納部を支持する複数のサスペンションを結ぶ線よりも背面側に配置されている。そのため、特許文献１に記載された乾燥装置においては、送風機の駆動部の回転数の増加に伴って大きくなる騒音と振動とが、乾燥装置の外部に漏れやすい。
【０００７】
そこで、本発明の目的は、送風機による騒音と振動とが衣類乾燥装置の外部に漏れることを抑制することが可能な衣類乾燥装置を提供することである。
【課題を解決するための手段】
【０００８】
本発明に従った衣類乾燥装置は、乾燥室と、複数の防振部材と、加熱装置と、送風機とを備えている。乾燥室は、被乾燥対象物を収納する。乾燥室は、開口と底面壁とを有している。複数の防振部材は、乾燥室を支持する。加熱装置は、乾燥室に供給される空気を加熱する。送風機は、駆動部を有している。送風機は、加熱装置によって加熱された空気を乾燥室に送出する。
【０００９】
本発明に従った衣類乾燥装置において、駆動部の中心部は、当該衣類乾燥装置を上方から見る場合に、複数の防振部材においていずれか二つの防振部材を結ぶ線よりも、底面壁から開口に向かう方向に沿って開口側に配置されている。
【００１０】
本発明に従った衣類乾燥装置においては、当該衣類乾燥装置を上方から見て、複数の防振部材を結ぶ線よりも、乾燥室の底面壁から開口に向かう方向に沿って開口側に、送風機の駆動部が配置される。これにより、駆動部を有する送風機を、当該衣類乾燥装置の背面近くではなく、乾燥室の底面壁から開口に向かう方向に沿って当該衣類乾燥装置の中央部に、配置することができる。そのため、送風機の駆動部の回転数の増加に伴って大きくなる騒音と振動とを、当該衣類乾燥装置の外部に漏れ難くすることができる。
【００１１】
このようにすることにより、送風機による騒音と振動とが衣類乾燥装置の外部に漏れることを抑制することが可能な衣類乾燥装置を提供することができる。
【００１２】
本発明に従った衣類乾燥装置において、加熱装置は、好ましくは、ヒートポンプを熱源として用いるヒートポンプ装置である。
【００１３】
ヒートポンプを熱源として用いることにより、乾燥運転時に消費される電力を抑制することができる。そのため、乾燥効率の向上を図ることができる。
【００１４】
本発明に従った衣類乾燥装置において、当該衣類乾燥装置を上方から見る場合に、複数の防振部材においていずれか二つの防振部材を結ぶ線は、好ましくは、底面壁から開口に向かう方向に直交する方向から傾斜している。
【００１５】
この構成によれば、当該衣類乾燥装置を上方から見る場合に、複数の防振部材においていずれか二つの防振部材を結ぶ線が、底面壁から開口に向かう方向に直交する方向に延びている場合に比べて、当該二つの防振部材を結ぶ線分の長さを拡大することができる。これにより、加熱装置において空気の流路を比較的長くすることができるため、空気を十分に加熱することができる。また、この構成によれば、加熱装置としてのヒートポンプにおいて空気の流路を比較的長くすることができるため、熱交換効率の低下を抑制することができる。
【００１６】
本発明に従った衣類乾燥装置において、当該衣類乾燥装置を上方から見る場合に、駆動部の軸が延びる方向は、好ましくは、底面壁から開口に向かう方向に直交する方向から傾斜し、且つ、複数の防振部材においていずれか二つの防振部材を結ぶ線に交差している。
【００１７】
この構成によれば、当該衣類乾燥装置を上方から見る場合に、底面壁から開口に向かう方向に直交する方向に駆動部の軸が延びている場合に比べて、二つの防振部材の間に延びる加熱装置の内部の空気の流路の長さを、駆動部の軸が延びる方向に沿って拡大することができる。そのため、空気を十分に加熱することができる。また、この構成によれば、加熱装置としてのヒートポンプにおいて流路を比較的長くすることができるため、熱交換効率の低下を抑制することができる。
【発明の効果】
【００１８】
以上のように、本発明によれば、送風機による騒音と振動とが衣類乾燥装置の外部に漏れることを抑制することが可能な衣類乾燥装置を提供することができる。
【図面の簡単な説明】
【００１９】
【図１】本発明に従った衣類乾燥装置を概略的に示す斜視図である。
【図２】本発明に従った衣類乾燥装置の内部の一部を透視した状態で概略的に示す当該衣類乾燥装置の正面図である。
【図３】本発明に従った衣類乾燥装置の内部の一部を透視した状態で示す当該衣類乾燥装置の左側面図である。
【図４】図３のＩＶ−ＩＶ線に沿った方向から見た衣類乾燥装置の横断面図である。
【図５】図４の一部を示す図であって、加熱装置および送風機の平面図である。
【図６】図４に示す加熱装置および送風機の横断面図である。
【発明を実施するための形態】
【００２０】
以下、本発明の実施の形態を図面に基づいて説明する。
【００２１】
図１に、本発明に従った衣類乾燥装置の一例としての洗濯乾燥機１を示す。図１と図２とに示すように、洗濯乾燥機１は外箱１０を備えている。洗濯乾燥機１は全自動式のドラム式洗濯乾燥機である。
【００２２】
外箱１０は略直方体形状を有している。また、外箱１０は、底盤１１と胴部１２と天板１３とを有している。底盤１１は洗濯乾燥機１の底部を形成している。胴部１２は、底盤１１から上方に延びている。また、胴部１２は、前面１２１と右側面１２２と左側面１２３（図２参照）と背面（図示せず）とを有している。天板１３は、洗濯乾燥機１の天部を形成している。
【００２３】
なお、図１〜図４において、符号Ｆｒ、Ｒｒ、Ｕｐ、Ｄｎ、Ｒｉ、Ｌｅは、洗濯乾燥機１のそれぞれ前方、後方、上方、下方、右方、左方を示している。図１に示すように、左右方向を幅方向Ｗと言い換えることができる。また、前後方向を奥行き方向Ｄと言い換えることができ、上下方向を高さ方向Ｈと言い換えることができる。
【００２４】
前面１２１の上部には、洗剤ケース１６が配置されている。洗剤ケース１６は引き出し自在に外箱１０に収容されている。洗濯乾燥機１の使用者は、洗剤ケース１６内に、洗剤、漂白剤、および柔軟剤等を投入することができる。また、外箱１０の前面１２１の上部には、操作ボタン（図示せず）と表示パネル（図示せず）とを有する操作部１７が、洗剤ケース１６と幅方向Ｗに並ぶように配置されている。
【００２５】
図３に示すように、洗濯乾燥機１は、水槽４０と回転ドラム２０とを備えている。回転ドラム２０は、筒形状を有している。当該筒において、前端（図３の右方側）は開口し、後端（図３の左方側）は底面壁２２ａを有した底部２２を形成する。開口部２１は、前方に向かって開口している。底部２２は開口部２１と対向するように配置されている。回転ドラム２０の開口部２１と底部２２とを結ぶ方向のうちの水平方向と平行な方向は、洗濯乾燥機１の前後方向である。
【００２６】
回転ドラム２０は、水槽４０の内部において回転することができるように、水槽４０に支持される。回転ドラム２０は、水平方向から傾斜した方向または水平方向に延びる回転軸線を中心に回転する。回転ドラム２０の材質としては、ステンレス鋼板が一般的に用いられている。回転ドラム２０は、被乾燥対象物としての洗濯物を収納する。回転ドラム２０の内部の空間は、乾燥室として機能する。
【００２７】
水槽４０は、筒形状を有している。当該筒において、前端は開口し、後端は底壁を有した底部４２を形成する。水槽４０は、回転ドラム２０を収容する。回転ドラム２０の回転軸線と水槽４０の中心軸線とが略一致するように、水槽４０は回転ドラム２０の外周面を覆う。回転ドラム２０と水槽４０とは、前方側よりも後方側が下がるように、外箱１０の内部に配置されている。
【００２８】
水槽４０の下部には、カウンターウェイト（図示せず）が取り付けられている。なお、水槽４０全体のバランスをとるため、複数個のカウンターウェイトが水槽４０に取り付けられていてもよい。また、カウンターウェイトは、水槽４０の上部に取り付けられていてもよい。
【００２９】
また、洗濯乾燥機１は、図示しない液体バランサを備えている。液体バランサは、回転ドラム２０の開口部２１の縁に取り付けられている。水槽４０と回転ドラム２０とは、外箱１０に収容される。
【００３０】
回転ドラム２０の底部２２と周壁２３とには、給水、排水および通気のための複数の孔２４が形成されている。孔２４によって、回転ドラム２０と水槽４０との間の空間と、回転ドラム２０の内部の空間とが連通されている。周壁２３は、回転ドラム２０のうちの筒状の部分である。周壁２３は略円筒形状を有している。また、周壁２３は、回転軸線が延びる方向と平行な方向に延びている。
【００３１】
また、周壁２３には、複数のバッフル（図示せず）が配置されている。バッフルは、回転軸線と略平行に延びている。また、バッフルは、回転軸線を中心とする円の半径方向の内方に向かって周壁２３から突出している。
【００３２】
回転ドラム２０の底部２２の外側面には、モータ５の駆動軸（図示せず）が固定されている。モータ５は、水槽４０の底部４２の外側面に取り付けられている。モータ５は、駆動軸に連結されている。モータ５に供給される電力が制御部（図示せず）によって制御されることにより、モータ５の回転数と回転方向とが可変制御される。これにより、回転ドラム２０が所定の回転数および双方向に回転する。
【００３３】
図１に示すように、外箱１０の前面１２１には扉１８が取り付けられている。図３に示すように、外箱１０の開口部１５は、回転ドラム２０の開口部２１よりも前方であって水槽４０の開口部４１よりも前方に配置されている。扉１８は、前面１２１に形成された開口部１５を開閉する。扉１８は、外箱１０の開口部１５とともに水槽４０の開口部４１を開閉する。扉１８を開くことにより、外箱１０の開口部１５および水槽４０の開口部４１を通じて回転ドラム２０に洗濯物を投入、または、回転ドラム２０から洗濯物を取り出すことができる。
【００３４】
扉１８は、透明状の窓１９を有している。これにより、洗濯乾燥機１の使用者は、外箱１０の外方から回転ドラム２０の内部を視認することができる。
【００３５】
洗濯乾燥機１は、複数の防振部材として、後側の防振部材６１と前側の防振部材６２とを備えている。防振部材６１と防振部材６２とは、互いに同じ構成を有している。防振部材６１，６２は、外箱１０の内部において水槽４０の下方に配置されている。
【００３６】
回転ドラム２０が水槽４０の内部において回転軸線を中心に回転することができるように、防振部材６１，６２は水槽４０を支持する。防振部材６１，６２は、外箱１０の底盤１１から上方に向かって水槽４０を支持することによって、水槽４０に支持される回転ドラム２０を支持している。つまり、水槽４０に支持される回転ドラム２０が、水槽４０を介して防振部材６１と防振部材６２とに支持される。防振部材６１と防振部材６２とは、前後方向に沿って水槽４０の中央部よりも後方において、水槽４０を支持する。
【００３７】
図２に示すように、洗濯乾燥機１の正面視つまり洗濯乾燥機１を正面から見る場合に、防振部材６１と防振部材６２とは、それぞれ洗濯乾燥機１の左側と右側とに配置されている。防振部材６１の下端と防振部材６２の下端とは、底盤１１に連結されている。一方、防振部材６１の上端と防振部材６２の上端とは、後述するように、それぞれ、台座４５と台座４６とに取り付けられる。
【００３８】
防振部材６１は、ダンパー６３と圧縮コイルバネ６４とを有している。ダンパー６３の上端は、防振部材６１の上端を形成する。また、ダンパー６３から下方には、ロッド６５が突出する。ダンパー６３は、ロッド６５に作用する衝撃力を緩衝する。圧縮コイルバネ６４は、ロッド６５に巻きつくようにロッド６５の回りに配置されている。ロッド６５の下端と圧縮コイルバネ６４の下端とは、鍔状の連結具６６によって互いに連結されている。防振部材６１が底盤１１に連結される場合には、ゴム等の弾性部材によって形成されたブッシュ６８が、連結具６６と底盤１１との間に配置される。
【００３９】
水槽４０の下部の外周面には、台座４５と台座４６とが設けられている。防振部材６１と防振部材６２とは、それぞれ台座４５と台座４６とに取り付けられる。防振部材６１が台座４５に取り付けられるときは、ゴム等の弾性部材によって形成されたブッシュ６７が防振部材６１の上端部と台座４５との間に配置される。なお、上述のように、前側の防振部材６２の構成は後側の防振部材６１の構成と同一であるため、防振部材６２の構成の説明を省略する。
【００４０】
台座４６の上下方向の寸法は、台座４５の上下方向の寸法よりも大きい。台座４５の下端と台座４６の下端とは、上下方向に沿って互いに同じ位置に配置されている。防振部材６１は、上下方向に沿って底盤１１と台座４５との間に配置されるとともに、底盤１１から上方に向かって水槽４０を支持している。同様に、防振部材６２は、上下方向に沿って底盤１１と台座４６との間に配置されるとともに、底盤１１から上方に向かって水槽４０を支持している。
【００４１】
防振部材６１の上端と防振部材６２の上端とは、それぞれの下端よりも幅方向Ｗ（図１参照）の内方に配置されている。これにより、防振部材６１と防振部材６２とは、洗濯乾燥機１の正面視において防振部材６１と防振部材６２とによって略逆Ｖ字が描かれるように、外箱１０の内部に配置されている。
【００４２】
一方、図３に示すように、防振部材６１と防振部材６２との間には、前後方向に沿って所定の間隔があけられている。洗濯乾燥機１の側面視において、防振部材６１と防振部材６２とは、略鉛直方向に延びるように水槽４０を支持している。
【００４３】
洗濯乾燥機１は、加熱装置の一例としてのヒートポンプ装置７０と、送風機５０とを備えている。洗濯乾燥機１は、ヒートポンプ装置７０を熱源として利用する。ヒートポンプ装置７０は、回転ドラム２０の内部に供給される空気を加熱する。
【００４４】
送風機５０は、ヒートポンプ装置７０によって加熱された空気を回転ドラム２０の内部に送出する。送風機５０は、駆動部の一例としてのモータ５１を有している。モータ５１は、一般的な電動式のモータによって構成されている。
【００４５】
図３に示すように、ヒートポンプ装置７０と送風機５０とは、水槽４０の下方に配置されている。送風機５０は、洗濯乾燥機１の前後方向の略中央に配置されている。
【００４６】
図４は、図３のＩＶ−ＩＶ線に沿った方向から見た洗濯乾燥機１の横断面図である。図４において、断面を示すハッチングは省略されている。ヒートポンプ装置７０は、図４に示すように、前後方向に沿って洗濯乾燥機１（図３参照）の後端から略中央にわたる範囲を占めるように外箱１０の内部に配置されている。ヒートポンプ装置７０の前端は、送風機５０の前端よりも前方に配置される。
【００４７】
防振部材６１と防振部材６２とを結ぶ線Ｌａは、外箱１０の前後方向の中心よりも後方に位置する。図４において外箱１０の左右方向（言い換えると、洗濯乾燥機１の幅方向Ｗ（図１参照））に沿って延びる線Ｌｃは、外箱１０の前後方向の中心の位置を示す。
【００４８】
洗濯乾燥機１（図３参照）を上方から見る場合、つまり、図４において、送風機５０は、線Ｌａと線Ｌｃとの間に挟まれるように、外箱１０に収容される。また、モータ５１は、線Ｌａと線Ｌｃとの間に配置される。モータ５１の中心部は、洗濯乾燥機１（図３参照）を上方から見る場合、つまり、図４において、線Ｌａよりも前方に配置されている。
【００４９】
モータ５１は、上下方向におけるモータ５１の上端と下端との中点と、モータ５１の前後方向（言い換えると、線Ｌｂに沿った方向）におけるモータ５１の前端と後端との中点と、モータ５１の幅方向（言い換えると、線Ｌｂに沿った方向と上下方向とに直交する方向）におけるモータ５１の両端の中点とを含む。モータ５１の中心部は、これら３つの中点を含む部分である。図４においては、２つの中点（モータ５１の前端と後端との中点、および、モータ５１の幅方向の中点）が略一致する。図４には、洗濯乾燥機１（図３参照）を上方から見る場合に互いに略一致する当該２つの中点Ｃを示す。
【００５０】
また、図４において、防振部材６１と防振部材６２とを結ぶ線Ｌａは、前後方向に直交する方向（言い換えると、洗濯乾燥機１の幅方向Ｗ（図１参照））から傾斜している。
【００５１】
さらに、図４において、モータ５１の軸が延びる方向は、左右方向から傾斜し、且つ、線Ｌａに交差している。図４において、モータ５１の軸が延びる方向は、線Ｌｂによって示す。
【００５２】
図５は、ヒートポンプ装置７０および送風機５０の平面図である。図６は、ヒートポンプ装置７０および送風機５０の横断面図である。図６において、断面を示すハッチングは省略されている。図５に示すように、ヒートポンプ装置７０は、上部カバー７１を有している。また、図６に示すように、ヒートポンプ装置７０は、圧縮機７３と蒸発器７４と凝縮器７５と膨張弁７６とを備えている。圧縮機７３は、冷媒を圧縮して冷媒の温度を上昇させる。凝縮器７５は、圧縮機７３によって圧縮された冷媒と空気とを熱交換させることによって、空気を加熱させる。膨張弁７６は、空気を加熱させた冷媒の圧力を減圧する。蒸発器７４は、減圧された冷媒と空気とを熱交換させることによって、空気を冷却させる。
【００５３】
また、ヒートポンプ装置７０は、冷媒配管７７と下部カバー７２とを備えている。冷媒配管７７は、圧縮機７３、凝縮器７５、膨張弁７６、蒸発器７４、および、圧縮機７３の順に冷媒が循環するように、圧縮機７３と凝縮器７５と膨張弁７６と蒸発器７４とを連結する。圧縮機７３と蒸発器７４と凝縮器７５と膨張弁７６と冷媒配管７７とは、下部カバー７２に載せられたうえで、上部カバー７１（図５参照）に覆われている。
【００５４】
なお、凝縮器７５と蒸発器７４とは、フィンチューブ型の熱交換器である。ヒートポンプ装置７０の内部においては、蒸発器７４と凝縮器７５とをこの順序で乾燥用空気が流れる。
【００５５】
また、図６に示すように、送風機５０は、ケース５５と羽根部５２とを有している。ケース５５は、羽根部５２とモータ５１とを覆う。ケース５５の内部の空間は、ヒートポンプ装置７０における上部カバー７１（図５参照）と下部カバー７２（図６参照）とに囲まれた空間に通じる。羽根部５２は、モータ５１に連結されている。羽根部５２は、モータ５１の回転に伴って回転する。
【００５６】
凝縮器７５において加熱された空気は、給気ダクト８１を通って回転ドラム２０（図３参照）に供給される。給気ダクト８１は、凝縮器７５と回転ドラム２０との間に配置されている。給気ダクト８１の一端は、送風機５０のケース５５に接続されている。給気ダクト８１の他端は、水槽４０（図３参照）の後端部に接続されている。
【００５７】
一方、回転ドラム２０（図３参照）において洗濯物の乾燥に利用された空気は、排気ダクト８２を通って上部カバー７１と下部カバー７２とに囲まれた空間に戻される。回転ドラム２０（図３参照）において洗濯物の乾燥に利用された空気は、蒸発器７４に向かって流れる。排気ダクト８２（図５参照）は、回転ドラム２０（図３参照）と蒸発器７４との間に配置されている。排気ダクト８２（図５参照）の一端は、ヒートポンプ装置７０のケースの側壁に形成された流入口８４に接続されている。排気ダクト８２の他端は、水槽４０（図３参照）の前端部に接続されている。洗濯物の乾燥に用いられる空気は、給気ダクト８１と排気ダクト８２とを流通することによって、回転ドラム２０（図３参照）とヒートポンプ装置７０との間を循環する。
【００５８】
以上のように、洗濯乾燥機１は、回転ドラム２０と、防振部材６１，６２と、ヒートポンプ装置７０と、送風機５０とを備えている。回転ドラム２０は、洗濯物を収納する。回転ドラム２０は、開口部２１と底面壁２２ａとを有している。防振部材６１，６２は、回転ドラム２０を支持する。ヒートポンプ装置７０は、回転ドラム２０に供給される空気を加熱する。送風機５０は、モータ５１を有している。送風機５０は、ヒートポンプ装置７０によって加熱された空気を回転ドラム２０に送出する。
【００５９】
洗濯乾燥機１において、モータ５１の中心部は、洗濯乾燥機１を上方から見る場合に、防振部材６１と防振部材６２とを結ぶ線Ｌａよりも前方に配置されている。
【００６０】
洗濯乾燥機１においては、洗濯乾燥機１を上方から見て、防振部材６１と防振部材６２とを結ぶ線よりも前方に送風機５０のモータ５１が配置される。これにより、モータ５１を有する送風機５０を、洗濯乾燥機１の背面近くではなく、前後方向に沿って洗濯乾燥機１の中央部に配置することができる。そのため、送風機５０のモータ５１の回転数の増加に伴って大きくなる騒音と振動とを、洗濯乾燥機１の外部に漏れ難くすることができる。
【００６１】
このようにすることにより、送風機５０による騒音と振動とが洗濯乾燥機１の外部に漏れることを抑制することが可能な洗濯乾燥機１を提供することができる。
【００６２】
洗濯乾燥機１には、回転ドラム２０に供給される空気を加熱する加熱装置として、ヒートポンプ装置７０が用いられている。
【００６３】
ヒートポンプを熱源として用いることにより、乾燥運転時に消費される電力を比較的抑制することができる。そのため、乾燥効率の向上を図ることができる。
【００６４】
洗濯乾燥機１において、洗濯乾燥機１を上方から見る場合に、防振部材６１と防振部材６２とを結ぶ線Ｌａは、底面壁２２ａから開口部２１に向かう方向に直交する方向（言い換えると、洗濯乾燥機１の幅方向Ｗ）から傾斜している。
【００６５】
この構成によれば、洗濯乾燥機１を上方から見る場合に、防振部材６１と防振部材６２とを結ぶ線Ｌａが、洗濯乾燥機１の幅方向Ｗに延びている場合に比べて、防振部材６１と防振部材６２とを結ぶ線分の長さを拡大することができる。これにより、ヒートポンプ装置７０において空気の流路を比較的長くすることができるため、熱交換効率の低下を抑制することができる。
【００６６】
洗濯乾燥機１において、洗濯乾燥機１を上方から見る場合に、モータ５１の軸が延びる方向は、幅方向Ｗから傾斜し、且つ、防振部材６１と防振部材６２とを結ぶ線Ｌａに交差している。
【００６７】
この構成によれば、洗濯乾燥機１を上方から見る場合に、洗濯乾燥機１の幅方向Ｗにモータ５１の軸が延びている場合に比べて、防振部材６１と防振部材６２との間に延びるヒートポンプ装置７０の内部の空気の流路の長さを、モータ５１の軸が延びる方向（線Ｌｂが延びる方向）に沿って拡大することができる。そのため、空気を十分に加熱することができる。また、この構成によれば、加熱装置としてのヒートポンプ装置７０において空気の流路を比較的長くすることができるため、熱交換効率の低下を抑制することができる。
【００６８】
なお、洗濯乾燥機１において、回転ドラム２０の回転軸線が延びる方向は、水平方向から傾斜した方向または水平方向に延びる方向でなくてもよい。回転ドラム２０の回転軸線は、例えば略鉛直方向に延びていてもよい。
【００６９】
洗濯乾燥機１において、後側の防振部材６１と前側の防振部材６２とは、それぞれ、異なる構成を有していてもよい。また、後側の防振部材６１と前側の防振部材６２とよりも前方に、別の防振部材が配置されていてもよい。
【００７０】
なお、モータ５１の重心は、モータ５１の中心部に配置されていてもよく、モータ５１の中心部から外れた位置に配置されていてもよい。
【００７１】
本発明に従った衣類乾燥装置は、洗い行程と濯ぎの行程と脱水行程とを含まない乾燥装置、つまり、洗いと濯ぎと脱水との機能を有していない乾燥装置であってもよく、衣類等の被乾燥対象物を乾燥させる機能を有していればよい。
【００７２】
本発明に従った衣類乾燥装置において、乾燥室に供給される空気を加熱する加熱装置は、ヒートポンプを利用したものに限定されず、発熱コイル等を利用したヒータであってもよい。本発明に従った衣類乾燥装置においては、防振部材６１と防振部材６２とを結ぶ線Ｌａが、当該衣類乾燥装置の幅方向Ｗに延びている場合に比べて、防振部材６１と防振部材６２とを結ぶ線分の長さを拡大することができる。これにより、発熱コイル等を利用したヒータにおいて空気の流路を比較的長くすることができるため、空気を十分に加熱することができる。
【００７３】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００７４】
１：洗濯乾燥機、２０：回転ドラム、２１：開口部、２２ａ：底面壁、５０：送風機、５１：モータ、６１：防振部材、６２：防振部材、７０：ヒートポンプ装置、Ｃ：中心
【図１】
2014054376.tif 000003
【図２】
2014054376.tif 000004
【図３】
2014054376.tif 000005
【図４】
2014054376.tif 000006
【図５】
2014054376.tif 000007
【図６】
2014054376.tif 000008